(57)【特許請求の範囲】
【請求項１】
過電流により回路を遮断する可溶体が設けられたヒューズエレメントを収容するヒューズユニットと、このヒューズユニットを覆うカバー体とを備え、前記カバー体は、前記ヒューズユニットに組み付けられるカバー本体と、このカバー本体にヒンジ部を介して開閉可能に連結され閉じた状態で前記ヒューズユニット又は前記カバー本体に係止部を介して係止される開閉カバーとを有するヒューズボックスであって、
前記開閉カバーの開閉方向に対する直交方向の両端側には、前記開閉方向に延設された両側壁が設けられ、前記両側壁のうち一側壁は、前記直交方向に対して撓み可能に設けられ、前記係止部は、前記一側壁と前記一側壁と対向する前記ヒューズユニット又は前記カバー本体とに設けられ前記一側壁の撓みによって係止及び係止解除される係止突部と被係止突部とからなり、前記両側壁のうち他側壁と対向する前記ヒューズユニット又は前記カバー本体には、前記係止部が係止から係止解除するまでの間に亘って前記他側壁と当接される規制壁が設けられていることを特徴とするヒューズボックス。
【発明の詳細な説明】
【技術分野】
【０００１】
本発明は、車両に適用されるヒューズボックスに関する。
【背景技術】
【０００２】
従来、ヒューズボックスとしては、過電流により回路を遮断する可溶体が設けられたヒューズエレメントを収容するヒューズユニットと、このヒューズユニットを覆うカバー体としての保護カバーとを備えたものが知られている（例えば、特許文献１参照）。
【０００３】
このヒューズボックスでは、保護カバーが、ヒューズユニットに組み付けられるカバー本体としての固定用カバーと、この固定用カバーにヒンジ部を介して開閉可能に連結された開閉カバーとしての開閉用カバーとを有している。この保護カバーの開閉用カバーには、ロック用凸部が設けられており、このロック用凸部がヒューズユニットに設けられた凹部と係合することによって、ヒューズユニットに対して開閉用カバーの閉じた状態が保持される。
【０００４】
このようなヒューズボックスの開閉用カバーには、ロック用凸部の他にガイドリブが設けられており、このガイドリブがヒューズユニットに設けられたガイド溝に導かれることによって、ヒューズユニットに対する開閉用カバーの閉じる方向への移動が案内される。このため、ヒンジ部が切れたとしても、開閉用カバーをヒューズユニットに対して組み付けさせることができる。
【先行技術文献】
【特許文献】
【０００５】
【特許文献１】特開２００２−２７００８２号公報
【発明の概要】
【発明が解決しようとする課題】
【０００６】
ところで、上記のようなヒューズボックスでは、ロック用凸部と凹部とからなる係止部が、開閉カバーの開閉方向と直交する方向に位置する両側壁とヒューズユニットの開閉カバーの両側壁に対応する位置にそれぞれ設けられている。
【０００７】
しかしながら、ヒューズボックスのサイズによっては、周辺部材との配置スペースに制約があり、開閉カバーの両側壁とヒューズユニットの開閉カバーの両側壁に対応する位置にそれぞれ係止部を設けることができない場合がある。
【０００８】
このような場合には、単純に、開閉カバーの一側壁とヒューズユニットの開閉カバーの一側壁に対応する位置のみに係止部を設けることが考えられるが、係止部が１箇所となるので、開閉カバーを保持する保持力が大きく低下してしまう。加えて、開閉カバーの一側壁に複数の係止部を設けることも考えられるが、この場合には係止部の構造が複雑化してしまう。
【０００９】
そこで、この発明は、簡易な構造で係止部の保持力を維持することができるヒューズボックスの提供を目的としている。
【課題を解決するための手段】
【００１０】
請求項１記載の発明は、過電流により回路を遮断する可溶体が設けられたヒューズエレメントを収容するヒューズユニットと、このヒューズユニットを覆うカバー体とを備え、前記カバー体は、前記ヒューズユニットに組み付けられるカバー本体と、このカバー本体にヒンジ部を介して開閉可能に連結され閉じた状態で前記ヒューズユニット又は前記カバー本体に係止部を介して係止される開閉カバーとを有するヒューズボックスであって、前記開閉カバーの開閉方向に対する直交方向の両端側には、前記開閉方向に延設された両側壁が設けられ、前記両側壁のうち一側壁は、前記直交方向に対して撓み可能に設けられ、前記係止部は、前記一側壁と前記一側壁と対向する前記ヒューズユニット又は前記カバー本体とに設けられ前記一側壁の撓みによって係止及び係止解除される係止突部と被係止突部とからなり、前記両側壁のうち他側壁と対向する前記ヒューズユニット又は前記カバー本体には、前記係止部が係止から係止解除するまでの間に亘って前記他側壁と当接される規制壁が設けられていることを特徴とする。
【００１１】
このヒューズボックスでは、係止部が撓み可能な一側壁と一側壁と対向するヒューズユニット又はカバー本体とに設けられ一側壁の撓みによって係止及び係止解除される係止突部と被係止突部とからなるので、開閉カバーの開閉操作によって係止部の係止及び係止解除を容易に行うことができる。
【００１２】
また、他側壁と対向するヒューズユニット又はカバー本体には、係止部が係止から係止解除するまでの間に亘って他側壁と当接される規制壁が設けられているので、開閉カバーが閉じている状態では開閉カバー自体が開閉方向に対する直交方向へ移動することが規制され、開閉カバーの直交方向への移動による係止部の係止解除を防止することができる。
【００１３】
従って、一側壁のみに係止部が設けられている場合であっても、他側壁と規制壁との当接によって係止部の係止解除が防止され、簡易な構造で係止部の保持力を維持することができる。
【００１４】
また、開閉カバーは、係止部が係止から係止解除するまでの間は他側壁と規制壁との当接によって開閉操作が開閉方向に案内されるので、ヒンジ部にねじれが生じることを抑制でき、ヒンジ部の耐久性を向上することができる。
【発明の効果】
【００１５】
本発明によれば、簡易な構造で係止部の保持力を維持することができるヒューズボックスを提供することができるという効果を奏する。
【図面の簡単な説明】
【００１６】
【図１】本発明の実施の形態に係るヒューズボックスの下面図である。
【図２】（ａ）は本発明の実施の形態に係るヒューズボックスのヒューズユニットの斜視図である。（ｂ）は図２（ａ）のヒューズユニットを反対側から見たときの斜視図である。
【図３】（ａ）は本発明の実施の形態に係るヒューズボックスのカバー体の上面図である。（ｂ）は図３（ａ）のＡ−Ａ断面図である。（ｃ）は図３（ａ）のカバー体の側面図である。（ｄ）は本発明の実施の形態に係るヒューズボックスの係止突部の拡大図である。
【図４】（ａ）は本発明の実施の形態に係るヒューズボックスのヒューズユニットの正面図である。（ｂ）は本発明の実施の形態に係るヒューズボックスの係止突部と被係止突部との拡大図である。（ｃ）は本発明の実施の形態に係るヒューズボックスの他側壁と規制壁との拡大図である。
【図５】（ａ）は本発明の実施の形態に係るヒューズボックスの開閉カバーが閉じた状態の正面図である。（ｂ）は図５（ａ）の状態から開閉カバーを開く方向に移動したときの正面図である。（ｃ）は図５（ｂ）の状態から開閉カバーを開く方向に移動したときの正面図である。
【発明を実施するための形態】
【００１７】
図１〜図５を用いて本発明の実施の形態に係るヒューズボックスについて説明する。
【００１８】
本実施の形態に係るヒューズボックス１は、過電流により回路を遮断する可溶体（不図示）が設けられたヒューズエレメント３を収容するヒューズユニット５と、このヒューズユニット５を覆うカバー体７とを備えている。
【００１９】
また、カバー体７は、ヒューズユニット５に組み付けられるカバー本体９と、このカバー本体９にヒンジ部１１を介して開閉可能に連結され閉じた状態でヒューズユニット５に係止部１３を介して係止される開閉カバー１５とを有する。
【００２０】
そして、開閉カバー１５の開閉方向に対する直交方向の両端側には、開閉方向に延設された両側壁１７，１９が設けられ、一側壁１７は、直交方向に対して撓み可能に設けられ、係止部１３は、一側壁１７と一側壁１７と対向するヒューズユニット５とに設けられ一側壁１７の撓みによって係止及び係止解除される係止突部２１と被係止突部２３とからなり、他側壁１９と対向するヒューズユニット５には、係止部１３が係止から係止解除するまでの間に亘って他側壁１９と当接される規制壁２５が設けられている。
【００２１】
図２に示すように、ヒューズユニット５は、ヒューズエレメント３とヒューズブロック２７とからなる。ヒューズエレメント３は、導電性の板材からなり、複数箇所に過電流によって溶断して回路を遮断する可溶体が設けられている。このヒューズエレメント３は、ヒューズブロック２７内にインサート成型され、ヒューズブロック２７の外部に突出する接続部としての複数のボルト２９が電気的に接続されている。
【００２２】
ヒューズブロック２７は、絶縁性の樹脂材料からなり、例えば、車両に搭載されたバッテリ（不図示）に配置され、複数のボルト２９が外部に露出されて接続部となっている。また、ヒューズブロック２７から露出するヒューズエレメント３の部分は、バッテリに接続されるバッテリ接続部３１となっている。なお、ヒューズブロック２７のヒューズエレメント３の可溶体が位置する部分には、可溶体を保護するエレメントカバー３３が組み付けられている。このようなヒューズユニット５には、カバー体７が組み付けられる。
【００２３】
図３に示すように、カバー体７は、絶縁性の樹脂材料からなり、カバー本体９と、開閉カバー１５とを備えている。カバー本体９は、図１に示すように、ヒューズユニット５のヒューズブロック２７から露出する複数のボルト２９を覆うように係合突起などの取り外し可能な固定手段３５を介してヒューズブロック２７に組み付けられる。このカバー本体９には、ヒンジ部１１を介して開閉可能に開閉カバー１５が連結されている。
【００２４】
図３に示すように、開閉カバー１５は、基部３７と、一側壁１７と他側壁１９との両側壁からなる。基部３７は、端部がヒンジ部１１を介してカバー本体９に開閉可能に連結され、開閉カバー１５が閉じた状態で、図１に示すようにヒンジ部１１側がヒューズエレメント３のバッテリ接続部３１を覆うと共に、自由端側が幅広に形成されバッテリのバッテリポスト（不図示）を覆う。この基部３７の開閉カバー１５の開閉方向と直交する直交方向（幅方向）の両端側には、一側壁１７と他側壁１９との両側壁が基部３７と連続する一部材で設けられている。
【００２５】
一側壁１７と他側壁１９とからなる両側壁は、バッテリ接続部３１を挟んで対向配置され、開閉カバー１５の開閉方向に向けて延設されている。この両側壁１７，１９は、薄肉に形成され、開閉カバー１５の開閉方向と直交する直交方向に対して撓み可能に設けられている。なお、一側壁１７のみを撓み可能にし、他側壁１９を厚肉に形成して撓みを抑制するように剛性を持たせてもよい。この一側壁１７と対向するヒューズユニット５との間には係止部１３が設けられていると共に、他側壁１９と対向するヒューズユニット５には規制壁２５が設けられている。
【００２６】
図１〜図５に示すように、係止部１３は、一側壁１７から外側に向けて突設された係止突部２１と、ヒューズユニット５の開閉カバー１５が閉じた状態で係止突部２１と対応する位置に設けられた被係止突部２３とからなる。係止突部２１には、図３（ｄ）に示すように、開閉カバー１５の開閉方向に向けて下り傾斜となる傾斜面３９，４１が設けられている。また、傾斜面３９側の端部は、係止面４３となっている。被係止突部２３は、図２（ｂ）に示すように、ヒューズブロック２７の側面から突出するように設けられ、下面側が係止突部２１の係止面４３が係止される被係止面４５となっている。この係止部１３は、開閉カバー１５が開いた状態から閉じる状態に移行する場合、係止突部２１の傾斜面４１が被係止突部２３と当接し、一側壁１７が撓まされて係止突部２１が被係止突部２３を乗り越え、係止突部２１の係止面４３が被係止突部２３の被係止面４５に係止される。また、係止部１３は、開閉カバー１５が閉じた状態から開いた状態に移行する場合、係止突部２１の傾斜面３９が被係止突部２３と当接し、一側壁１７が撓まされて係止突部２１が被係止突部２３を乗り越える。このような係止部１３の係止をより強固なものとするため、他側壁１９と対向するヒューズユニット５には、規制壁２５が設けられている。
【００２７】
規制壁２５は、図４（ａ）に示すように、ヒューズブロック２７の上面から突出するように設けられている。また、規制壁２５の突出高さは、係止部１３が係止から係止解除するまでの間に亘って他側壁１９と当接できるように設定されている。この規制壁２５は、開閉カバー１５が閉じた状態から開いた状態に移行するとき、係止部１３が係止から係止解除するまでの間は常に他側壁１９に当接されている。このため、開閉カバー１５が閉じている状態では、開閉カバー１５の基部３７が規制壁２５側に移動することができず、一側壁１７が規制壁２５側に移動することがない。従って、係止部１３において、係止突部２１の係止面４３と被係止突部２３の被係止面４５との係止が解除することを防止できる。また、規制壁２５と他側壁１９との当接は、係止部１３が係止から係止解除するまでの間は常に行われているので、開閉カバー１５の開閉方向への移動を案内させることができる。このため、開閉カバー１５の開閉操作中に、開閉カバー１５が揺動することを抑制でき、ヒンジ部１１でのねじれを防止してヒンジ部１１の耐久性を向上させることができる。なお、図５（ｂ）における開閉カバー１５では、規制壁２５と他側壁１９とが当接した状態で、開閉カバー１５が僅かにねじれた状態となっているが、これは他側壁１９が一側壁１７と同様に撓み可能に設けられているためであり、他側壁１９の剛性を高めればこのねじれを解消することができる。
【００２８】
このように構成されたヒューズボックス１の開閉カバー１５が閉じた状態から開く状態までは、図５に示すように、図５（ａ）に示す係止部１３の係止突部２１の係止面４３と被係止突部２３の被係止面４５とが係止した状態から、図５（ｂ）に示す一側壁１７が撓んで係止部１３の係止突部２１が被係止突部２３を乗り越える状態となる。このとき、他側壁１９は、図４（ｃ）及び図５（ｂ）に示すように、規制壁２５と当接し、開閉カバー１５自体のねじれが抑制される。そして、図５（ｃ）に示すように、係止部１３の係止突部２１と被係止突部２３との係止が解除され、開閉カバー１５を開く方向に移動させることができる。
【００２９】
このようなヒューズボックス１では、係止部１３が撓み可能な一側壁１７と一側壁１７と対向するヒューズユニット５とに設けられ一側壁１７の撓みによって係止及び係止解除される係止突部２１と被係止突部２３とからなるので、開閉カバー１５の開閉操作によって係止部１３の係止及び係止解除を容易に行うことができる。
【００３０】
また、他側壁１９と対向するヒューズユニット５には、係止部１３が係止から係止解除するまでの間に亘って他側壁１９と当接される規制壁２５が設けられているので、開閉カバー１５が閉じている状態では開閉カバー１５自体が開閉方向に対する直交方向へ移動することが規制され、開閉カバー１５の直交方向への移動による係止部１３の係止解除を防止することができる。
【００３１】
従って、一側壁１７のみに係止部１３が設けられている場合であっても、他側壁１９と規制壁２５との当接によって係止部１３の係止解除が防止され、簡易な構造で係止部１３の保持力を維持することができる。
【００３２】
また、開閉カバー１５は、係止部１３が係止から係止解除するまでの間は他側壁１９と規制壁２５との当接によって開閉操作が開閉方向に案内されるので、ヒンジ部１１にねじれが生じることを抑制でき、ヒンジ部１１の耐久性を向上することができる。
【００３３】
なお、本発明の実施の形態に係るヒューズボックスでは、係止部と規制壁とがヒューズユニットに設けられているが、係止部と規制壁とをカバー本体に設ける、もしくは係止部をヒューズユニットに設けて規制壁をカバー本体に設けるなどどちらか片方をヒューズユニットとカバー本体とに設けてもよい。
【００３４】
また、係止部と規制壁とをカバー本体に設けた場合には、カバー体のみに開閉カバーの係止機能を持たせることができるので、カバー体のみを設計変更させればよく、ヒューズボックスの設計の自由度を向上させることができる。
【符号の説明】
【００３５】
１…ヒューズボックス
３…ヒューズエレメント
５…ヒューズユニット
７…カバー体
９…カバー本体
１１…ヒンジ部
１３…係止部
１５…開閉カバー
１７…一側壁
１９…他側壁
２１…係止突部
２３…被係止突部
２５…規制壁
【図１】
0005650558.tif 000002
【図２】
0005650558.tif 000003
【図３】
0005650558.tif 000004
【図４】
0005650558.tif 000005
【図５】
0005650558.tif 000006